(57)【要約】【課題】改質器へ供給される改質水を、気泡の含有量が少ない状態で貯留することができる貯水槽を提供すること。【解決手段】貯水槽５の板部材５１１は、貯留空間５３０に存在し、水流入口５１３の少なくとも下方の位置から、上下方向Ｄ２に対して斜め下方に、貯留空間５３０を形成する壁部５０１の内面に向って延びる。板部材５１１の下端部と壁部５０１の内面との間には、水Ｗ３を流通可能であり、板部材５１１に沿って流れる水Ｗ３を、壁部５０１の内面に沿って流すように、板部材５１１から壁部５０１の内面へ渡す水内面流通流路５３１が形成されている。【選択図】図３
2016157620.tif 000002
【特許請求の範囲】
【請求項１】
改質ガスを燃料電池に供給するために触媒上で燃料と水とを反応させて改質ガスを生成する改質器へ、水を供給するための水を貯留する貯留空間を有する貯水槽であって、
前記貯留空間に水が流入する水流入口と、
前記貯留空間に存在し、前記水流入口の少なくとも下方の位置から、上下方向に対して斜め下方に、前記貯留空間を形成する壁部の内面に向って延びる板部材と、を備え、
前記板部材の下端部と前記壁部の内面との間には、水を流通可能であり、前記板部材に沿って流れる水を、前記壁部の内面に沿って流すように、前記板部材から前記壁部の内面へ渡す水内面流通流路が形成されている貯水槽。
【請求項２】
前記貯留空間には、水に含まれる異物を通さずに水を流通可能な孔が形成された仕切り板が存在し、
前記仕切り板は、前記貯留空間を、前記水内面流通流路が形成される前記壁部の部分を含む前記壁部の部分により取り囲まれる第１貯留空間部と、前記第１貯留空間部を取り囲む前記壁部の部分以外の前記壁部の部分により取り囲まれる第２貯留空間部と、に仕切る請求項１に記載の貯水槽。
【請求項３】
前記貯留空間における水の最高水面位置を規定し、前記最高水面位置を超えた水を前記貯留空間の外部へ流出するオーバーフロー流出口を備え、
前記板部材は、前記板部材と前記オーバーフロー流出口との間に空間が存在するように、前記オーバーフロー流出口から離間して配置されている請求項１又は請求項２に記載の貯水槽。
【発明の詳細な説明】
【技術分野】
【０００１】
本発明は、燃料電池を備える燃料電池システムにおいて、改質器へ供給する改質水を貯留するための貯水槽に関する。
【背景技術】
【０００２】
燃料電池システムは、燃料電池において、アノードに供給される水素を含む改質ガスと、カソードに供給される空気中の酸素とが化学反応することにより発電を行う。改質ガスは、一般的に、外部から改質器に供給される燃料と水とが改質器の触媒上で反応して生成される。一方、外部からの水の供給を必要としない燃料電池システムも考えられる。例えば、ラジエーターを備える燃料電池システムにおいては、ラジエーターは、燃料電池から排出される水蒸気を含むオフガスを冷却して水（ドレン水）を生成する。生成された水は、改質水として再び改質器で利用される（特許文献１参照）。
【先行技術文献】
【特許文献】
【０００３】
【特許文献１】特開２００８−２４３５５５号公報
【発明の概要】
【発明が解決しようとする課題】
【０００４】
上述のように生成され、改質水として再び改質器で利用される水は、凝縮水タンク（改質水タンク）に貯留され、凝縮水タンクから改質器へ供給される。凝縮水タンクから改質器への改質水の供給については、例えば、定量ポンプを使用して、高い精度で所定の量の改質水を改質器へ供給できることが好ましい。しかし、実際には、改質水には気泡が含まれることがあり、高い精度で所定の量の改質水を改質器へ供給することは困難である。
【０００５】
本発明は、改質器へ供給される改質水を、気泡の含有量が少ない状態で貯留することができる貯水槽を提供することを目的とする。
【課題を解決するための手段】
【０００６】
本発明は、改質ガスを燃料電池に供給するために触媒上で燃料と水とを反応させて改質ガスを生成する改質器へ、水を供給するための水を貯留する貯留空間を有する貯水槽であって、前記貯留空間に水が流入する水流入口と、前記貯留空間に存在し、前記水流入口の少なくとも下方の位置から、上下方向に対して斜め下方に、前記貯留空間を形成する壁部の内面に向って延びる板部材と、を備え、前記板部材の下端部と前記壁部の内面との間には、水を流通可能であり、前記板部材に沿って流れる水を、前記壁部の内面に沿って流すように、前記板部材から前記壁部の内面へ渡す水内面流通流路が形成されている貯水槽に関する。
【０００７】
また、前記貯留空間には、水に含まれる異物を通さずに水を流通可能な孔が形成された仕切り板が存在し、前記仕切り板は、前記貯留空間を、前記水内面流通流路が形成される前記壁部の部分を含む前記壁部の部分により取り囲まれる第１貯留空間部と、前記第１貯留空間部を取り囲む前記壁部の部分以外の前記壁部の部分により取り囲まれる第２貯留空間部と、に仕切ることが好ましい。
【０００８】
また、前記貯留空間における水の最高水面位置を規定し、前記最高水面位置を超えた水を前記貯留空間の外部へ流出するオーバーフロー流出口を備え、前記板部材は、前記板部材と前記オーバーフロー流出口との間に空間が存在するように、前記オーバーフロー流出口から離間して配置されていることが好ましい。
【発明の効果】
【０００９】
本発明によれば、改質器へ供給される改質水を、気泡の含有量が少ない状態で貯留することができる貯水槽を提供することができる。
【図面の簡単な説明】
【００１０】
【図１】本発明の実施形態による貯水槽５を有する燃料電池システム１を示す概略図である。
【図２】本発明の実施形態による貯水槽５を示す正面図である。
【図３】本発明の実施形態による貯水槽５を示す側面図である。
【図４】本発明の実施形態による貯水槽５を示す平面図である。
【図５】本発明の実施形態による貯水槽５の仕切り板５１２を示す正面図である。
【発明を実施するための形態】
【００１１】
以下、図面を参照して本発明の実施形態を説明する。図１は、本発明の実施形態による貯水槽５を有する燃料電池システム１を示す概略図である。
図１に示すように、実施形態の燃料電池システム１は、燃料電池２と、燃焼器２１と、熱交換器３と、貯湯タンク４と、貯水槽としての改質水タンク５と、改質器７と、セパレータ５１と、不純物除去部５２と、制御部８と、を備える。
また、燃料電池システム１は、オフガスラインＬ１と、熱交換水ラインＬ２と、温水使用ラインＬ３と、貯湯タンク給水ラインＬ４と、改質水循環ラインＬ５と、燃料供給ラインＬ６１と、空気供給ラインＬ６２と、改質ガス供給ラインＬ６３とを備える。本明細書における「ライン」とは、流路、経路、管路等の流体の流通が可能なラインの総称である。
【００１２】
オフガスラインＬ１は、燃焼前オフガスラインＬ１１１と、燃焼後オフガスラインＬ１１２と、下流側オフガスラインＬ１２とを有する。
燃焼前オフガスラインＬ１１１の一端部は、燃料電池２に接続されており、燃焼前オフガスラインＬ１１１の他端部は、燃焼器２１に接続されている。燃料電池２から排出されるオフガスＧ１は、オフガスラインＬ１を通じて燃焼器２１に供給される。
【００１３】
燃焼後オフガスラインＬ１１２の一端部は、燃焼器２１に接続されており、燃焼後オフガスラインＬ１１２の他端部は、熱交換器３に接続されている。燃焼器２１においてオフガスＧ１が燃焼されて生成された高温の燃焼ガスＧ２は、燃焼後オフガスラインＬ１１２を通じて熱交換器３に供給される。
【００１４】
下流側オフガスラインＬ１２の一端部は、熱交換器３に接続されており、下流側オフガスラインＬ１２の他端部は、燃料電池システム１の外部へ解放されている。下流側オフガスラインＬ１２の途中には、セパレータ（気水分離器）５１が接続されている。燃焼ガスＧ２は、セパレータ（気水分離器）５１を介して排気ガスとして、下流側オフガスラインＬ１２を流通して燃料電池システム１の外部へ排出される。
【００１５】
熱交換水ラインＬ２は、高温側ラインＬ２１と、低温側ラインＬ２２と、を有する。高温側ラインＬ２１の一端部は熱交換器３に接続されており、高温側ラインＬ２１の他端部は、貯湯タンク４に接続されている。高温側ラインＬ２１は、熱交換器３により熱交換された高温の温水Ｗ１を貯湯タンク４に流通させる。熱交換水ラインＬ２としての高温側ラインＬ２１には、高温の温水Ｗ１が流通することに限られず、例えば、低温又は常温の水が流通してもよいし、水道水が流通してもよい。
【００１６】
低温側ラインＬ２２の一端部は、貯湯タンク４に接続されており、低温側ラインＬ２２の他端部は、熱交換器３に接続されている。低温側ラインＬ２２の途中には、ポンプ４３が接続されている。低温側ラインＬ２２は、ポンプ４３の駆動により、貯湯タンク４に貯留されている温水Ｗ１を熱交換器３に流通させる。低温側ラインＬ２２には、貯湯タンク４に貯留されている水Ｗ１（温水Ｗ１）が流通することに限られず、例えば、水道水が流通してもよい。
【００１７】
温水使用ラインＬ３の一端部は、貯湯タンク４に接続されており、温水使用ラインＬ３の他端部は、温水使用設備（図示せず）に接続されている。また、温水使用ラインＬ３の途中には、ポンプ４４が接続されている。ポンプ４４が駆動することにより、温水使用ラインＬ３は、貯湯タンク４に貯留されている温水Ｗ１を温水使用設備（図示せず）に流通させる。
【００１８】
貯湯タンク給水ラインＬ４の一端部は、供給水Ｗ２の供給源（図示せず）に接続されており、貯湯タンク給水ラインＬ４の他端部は、貯湯タンク４に接続されている。貯湯タンク給水ラインＬ４の途中には、ポンプ４５が接続されている。貯湯タンク給水ラインＬ４は、供給水Ｗ２の供給源（図示せず）からの供給水Ｗ２を貯湯タンク４に流通させる。供給水Ｗ２は、低温、常温又は高温の水でもよいし、水道水でもよい。
【００１９】
改質水循環ラインＬ５は、凝縮水供給ラインＬ５１と、改質水供給ラインＬ５２と、改質水タンク給水ラインＬ５５と、を有している。
【００２０】
凝縮水供給ラインＬ５１の一端部は、セパレータ５１に接続されており、凝縮水供給ラインＬ５１の他端部は、改質水タンク５に接続されている。凝縮水供給ラインＬ５１は、燃焼ガスＧ２中に混在している水（ドレン水）を、セパレータ５１により燃焼ガスＧ２から分離して凝縮水Ｗ３として改質水タンク５へ流通させる。即ち、凝縮水供給ラインＬ５１には、オフガスＧ１から生成された燃焼ガスＧ２が熱交換器３において熱交換されて得られた凝縮水Ｗ３（改質水Ｗ３）が、流通する。
【００２１】
改質水供給ラインＬ５２の一端部は、改質水タンク５に接続されており、改質水供給ラインＬ５２の他端部は、改質器７に接続されている。また、改質水供給ラインＬ５２の途中には、改質水供給ラインＬ５２の一端部側から他端部側に向かって、ポンプ５５、不純物除去部５２がこの順でそれぞれ接続されている。改質水供給ラインＬ５２は、貯水槽としての改質水タンク５に貯留された水Ｗ３（改質水Ｗ３）を、改質器７に向けて流通させる。
【００２２】
改質水タンク給水ラインＬ５５の一端部は、供給水Ｗ４の供給源（図示せず）に接続されており、改質水タンク給水ラインＬ５５の他端部は、改質水タンク５に接続されている。改質水タンク給水ラインＬ５５の途中には、ポンプ５６が接続されている。改質水タンク給水ラインＬ５５は、ポンプ５６の駆動により、供給水Ｗ４の供給源（図示せず）からの水Ｗ４（供給水Ｗ４）を改質水タンク５に流通させる。供給水Ｗ４は、低温、常温又は高温の水でもよいし、水道水でもよい。供給水Ｗ４の改質水タンク５への供給は、不測の原因により改質水タンク５内の改質水Ｗ３がなくなることにより、改質器７への改質水Ｗ３の供給が停止することを抑制するためのものである。
【００２３】
燃料供給ラインＬ６１の一端部は、都市ガス等の燃料Ｇ３を供給可能な燃料供給部（図示せず）に接続されており、燃料供給ラインＬ６１の他端部は、改質器７に接続されている。燃料供給ラインＬ６１は、燃料供給部（図示せず）からの燃料Ｇ３を改質器７へ流通させる。
【００２４】
空気供給ラインＬ６２の一端部は、空気Ａ１を燃料電池２に供給するためのブロワ（図示せず）及びフィルタ（図示せず）に接続されている。空気供給ラインＬ６２の他端部は、燃料電池２に接続されている。空気供給ラインＬ６２は、ブロワ及びフィルタを通過した空気Ａ１を、燃料電池２に流通させる。
【００２５】
改質ガス供給ラインＬ６３の一端部は、改質器７に接続されており、改質ガス供給ラインＬ６３の他端部は、燃料電池２に接続される。改質ガス供給ラインＬ６３は、改質器７において生成された水素を含む改質ガスＧ４を、燃料電池２に向けて流通させる。
【００２６】
燃料電池２は、ＳＯＦＣ（固体酸化物形燃料電池）により構成される。燃料電池２においては、改質器７から供給される水素を含む改質ガスＧ４と、空気供給ラインＬ６２から供給される空気Ａ１中の酸素とが反応することにより、発電が行われる。燃料電池２において発電を行うときの温度である運転温度は、７００℃〜１０００℃と高温である。燃料電池２によって発電された電気は、パワーコンディショナ（図示せず）に送られ、ＡＣ電圧に変換される。
【００２７】
燃焼器２１は、バーナーや炉等により構成される。燃焼器２１では、燃焼前オフガスラインＬ１１１を通して供給されたオフガスＧ１が燃焼されて、即ち、アノードオフガス及びカソードオフガスが燃焼されて、高温の燃焼ガスＧ２が生成される。
【００２８】
熱交換器３は、燃料電池２から排出されたオフガスＧ１から生成された燃焼ガスＧ２と、熱交換水ラインＬ２を流通する温水Ｗ１等との間で熱交換する。即ち、熱交換器３は、燃焼器２１から供給される高温の燃焼ガスＧ２の熱を、低温側ラインＬ２２を流通した貯湯タンク４からの温水Ｗ１に伝達させる。これにより、燃焼ガスＧ２中には、水（ドレン水）が混在した状態となる。セパレータ５１は、熱交換器３における熱交換により生成され燃焼ガスＧ２中に混在している水を、燃焼ガスＧ２から分離し、改質水Ｗ３として改質水タンク５へ流通させる。
【００２９】
貯湯タンク４は、熱交換器３に熱交換水ラインＬ２を介して接続されている。貯湯タンク４は、熱交換水ラインＬ２を構成する高温側ラインＬ２１を流通する、熱交換器３により熱交換された温水Ｗ１を貯留する。貯湯タンク４に貯留された温水Ｗ１は、ポンプ４３により低温側ラインＬ２２を通して熱交換器３に向けて送り出される。
【００３０】
次に、改質水タンク５について詳述する。図２は、本発明の実施形態による貯水槽５を示す正面図である。図３は、本発明の実施形態による貯水槽５を示す側面図である。図４は、本発明の実施形態による貯水槽５を示す平面図である。図５は、本発明の実施形態による貯水槽５の仕切り板５１２を示す正面図である。
図２〜図４に示すように、貯水槽としての改質水タンク５は、凝縮水供給ラインＬ５１を介して流通した凝縮水Ｗ３を改質水Ｗ３として貯留する。改質水タンク５（貯水槽５）は、タンク本体５００と、板部材としての傾斜板５１１と、仕切り板５１２と、水流入口としての凝縮水流入口５１３と、採水口５１４と、オーバーフロー流出口５１５と、第１水位検出センサ５１６と、第２水位検出センサ５１７と、第１水面計５１８と、第２水面計５１９と、改質水流出口５２１と、水流入口としての原水流入口５２２と、ポンプ５５と、を備えている。
【００３１】
タンク本体５００は、壁部としての前壁５０１、後壁５０２、左壁５０３、右壁５０４、上壁５０５、下壁５０６を有する略直方体形状を有しており、中空の容器により構成されている。タンク本体５００内には、改質水Ｗ３を貯留する貯留空間５３０が形成されている。貯留空間５３０は、燃料電池システム１の運転条件等にもよるが、燃料電池システム１においてホットスタンバイの状態が５０時間継続した場合であっても、貯留空間５３０の中に貯留されている改質水Ｗ３を改質器７へ供給可能な程度の改質水Ｗ３を貯留可能な体積（約１２Ｌ（リットル）の体積）を有している。
【００３２】
ここで、説明の便宜上、後壁５０２から前壁５０１へ向かう方向（図２における紙面の裏面から表面へ向う方向）を前方向Ｄ１１（図３参照）と定義し、その反対の方向を後方向Ｄ１２と定義し、これらを併せて前後方向Ｄ１と定義する。また、下壁５０６から上壁５０５へと向かう方向（図２における上方向）を上方向Ｄ２１と定義し、その反対の方向を下方向Ｄ２２と定義し、これらを併せて上下方向Ｄ２と定義する。また、右壁５０４から左壁５０３へと向かう方向（図１における左方向）を左方向Ｄ３１と定義し、その反対の方向を右方向Ｄ３２と定義し、これらを併せて左右方向Ｄ３と定義する。
【００３３】
凝縮水流入口５１３は、タンク本体５００の上端部の左部において、タンク本体５００の前壁５０１を前後方向Ｄ１に貫通するように形成された開口を有する。凝縮水流入口５１３は、上下方向Ｄ２において、傾斜板５１１よりも上方に位置している。凝縮水流入口５１３には、凝縮水供給ラインＬ５１の他端部の開口に接続される。凝縮水供給ラインＬ５１を流通する凝縮水Ｗ３としての改質水Ｗ３は、凝縮水流入口５１３を介して、改質水タンク５の貯留空間５３０に流入する。
【００３４】
採水口５１４は、タンク本体５００の上下方向Ｄ２における略中央部より少し上側の前部において、タンク本体５００の左壁５０３を左右方向Ｄ３に貫通するように形成された開口を有する。採水口５１４は、前後方向Ｄ１において、仕切り板５１２よりも前方に位置している。採水口５１４には、必要に応じて、採水用ライン（図示せず）の一端部が接続される。貯留空間５３０における改質水Ｗ３の純水度等の精度を把握し、それに伴い不純物除去部５２に収容されているイオン交換樹脂の交換やメンテナンス周期の確認、又は不純物除去部５２の修理を行う目的で、改質水Ｗ３が採水される際に、改質水Ｗ３は、採水口５１４から採水用ライン（図示せず）へ流出する。
【００３５】
オーバーフロー流出口５１５は、タンク本体５００の上端部の右部において、タンク本体５００の前壁５０１を前後方向Ｄ１に貫通するように形成された開口を有する。オーバーフロー流出口５１５は、上下方向Ｄ２において、凝縮水流入口５１３と略同一の位置関係を有している。オーバーフロー流出口５１５には、オーバーフロー排出ライン（図示せず）の一端部が接続される。貯留空間５３０において改質水Ｗ３の水位がオーバーフロー流出口５１５に至ると、改質水Ｗ３は、オーバーフロー流出口５１５からオーバーフロー排出ライン（図示せず）へ流出する。即ち、オーバーフロー流出口５１５は、貯留空間５３０における水の最高水面位置を規定し、最高水面位置を超えた改質水Ｗ３を貯留空間５３０の外部へ流出する。
【００３６】
改質水流出口５２１は、タンク本体５００の下端部であって前後方向Ｄ１における略中央部において、タンク本体５００の左壁５０３を左右方向Ｄ３に貫通するように形成された開口を有する。改質水流出口５２１は、前後方向Ｄ１において、仕切り板５１２よりも後方に位置している。改質水流出口５２１には、改質水供給ラインＬ５２の一端部が接続されている。改質水Ｗ３は、改質水流出口５２１から改質器７に向けて、流出する。
【００３７】
原水流入口５２２は、タンク本体５００の上端部の前部において、タンク本体５００の左壁５０３を左右方向Ｄ３に貫通するように形成された開口を有する。原水流入口５２２は、上下方向Ｄ２において、傾斜板５１１よりも上方に位置している。原水流入口５２２には、改質水タンク給水ラインＬ５５の他端部の開口に接続される。原水としての供給水Ｗ４は、原水流入口５２２からタンク本体５００内に、流入する。
【００３８】
傾斜板５１１は、貯留空間５３０の左側半分の部分に存在し、長方形状を有している。傾斜板５１１は、上壁５０５の左半分の後部であって前後方向Ｄ１における第１水位検出センサ５１６と略同一の位置の部分から、前壁５０１の左半分の部分の内面に向って、延びている。そして、傾斜板５１１は、前壁５０１の左半分の部分の内面の部分であって、上下方向Ｄ２における凝縮水流入口５１３よりも下方の部分に至る。即ち、傾斜板５１１は、上下方向Ｄ２における、凝縮水流入口５１３及び原水流入口５２２の下方の位置から、上下方向Ｄ２に対して斜め下方に、貯留空間５３０を形成する壁部を構成する前壁５０１の内面に向って延びている。傾斜板５１１は、貯留空間５３０の右側半分の部分には存在しないため、傾斜板５１１とオーバーフロー流出口５１５とは、離間する位置関係を有して配置されており、傾斜板５１１とオーバーフロー流出口５１５との間には、空間が存在する。
【００３９】
また、傾斜板５１１の前端部である下端部と、前壁５０１の内面との間には、水内面流通流路５３１（図３参照）が形成されている。水内面流通流路５３１においては、改質水Ｗ３及び／又は供給水Ｗ４が流通可能である。水内面流通流路５３１は、傾斜板５１１に沿って流れる改質水Ｗ３及び／又は供給水Ｗ４を、前壁５０１の内面に沿って流すように、傾斜板５１１から前壁５０１の内面へ渡す。
【００４０】
より具体的には、水内面流通流路５３１は、傾斜板５１１の前端部である下端部と、前壁５０１の内面との間に形成されている貫通孔により構成される。貫通孔は、例えば、傾斜板５１１の前端部である下端部と、前壁５０１の内面とを、部分的に溶接して接続することにより生ずる小さな隙間により構成される。これにより、凝縮水流入口５１３、原水流入口５２２から流入し、傾斜板５１１に沿って傾斜板５１１を伝うように流れた改質水Ｗ３及び／又は供給水Ｗ４は、前壁５０１の内面に渡される。そして、改質水Ｗ３及び／又は供給水Ｗ４は、前壁５０１の内面に沿って前壁５０１を伝うように流され、貯留空間５３０の中に貯留されている改質水Ｗ３の水面に到達する。
【００４１】
仕切り板５１２は、長方形状を有する鋼板により構成されている。図５に示すように、仕切り板５１２には、改質水Ｗ３又は供給水Ｗ４に含まれる異物を通さずに改質水Ｗ３又は供給水Ｗ４を流通可能な貫通孔Ｈ（孔）が形成されている。貫通孔Ｈは、縦横にそれぞれ行列状に形成されている。貫通孔Ｈの直径は、１ｍｍ〜２ｍｍ程度である。
【００４２】
仕切り板５１２は、貯留空間５３０に存在する。より詳細には、仕切り板５１２は、前後方向Ｄ１における貯留空間５３０の前側３分の１程度の位置において、貯留空間５３０を前後に仕切るように、左壁５０３から右壁５０４に至るまで設けられ、下壁５０６から上方へ延びている。図２に示すように、上下方向Ｄ２において、仕切り板５１２の上端部は、傾斜板５１１の下端部と略同一の位置関係を有する。
【００４３】
従って、仕切り板５１２は、貯留空間５３０を、図３に示すように、第１貯留空間部５３５と、第２貯留空間部５３６と、に仕切る。第１貯留空間部５３５は、水内面流通流路５３１が形成される前壁５０１の部分を含む前壁５０１、左壁５０３の前部、右壁５０４の前部、及び、下壁５０６の前部により取り囲まれて形成されている。第２貯留空間部５３６は、第１貯留空間部５３５を取り囲む壁部の部分以外の壁部の部分である、後壁５０２、左壁５０３の後部、右壁５０４の後部、及び、下壁５０６の後部により取り囲まれて形成されている。
【００４４】
第１水位検出センサ５１６は、仕切り板５１２よりも後側に位置する右壁５０４の後部の上部に固定されている。第１水位検出センサ５１６は、上下方向Ｄ２において、仕切り板５１２の上端、及び、傾斜板５１１の下端に略一致する位置関係を有している。また、第２水位検出センサ５１７は、仕切り板５１２よりも後側に位置する右壁５０４の後部の下部に固定されている。上下方向Ｄ２における右壁５０４の下から３分の１程度の部分に位置し、同方向においてポンプ５５の水吐出口５５２と略同一の位置関係を有している。
【００４５】
第１水位検出センサ５１６、第２水位検出センサ５１７は、それぞれフロートスイッチにより構成されている。第１水位検出センサ５１６、第２水位検出センサ５１７を構成するフロートスイッチは、改質水Ｗ３の水位がフロートスイッチよりも上方にあるときには、図２に示す第２水位検出センサ５１７のように、フロートスイッチの左側の部分と右側の部分とが一直線状の状態となり、スイッチが導通したＯＮの状態となる。また、フロートスイッチは、改質水Ｗ３の水位がフロートスイッチよりも下方にあるときには、図２に示す第１水位検出センサ５１６のように、フロートスイッチの左側の部分が右側の部分に対して下方へ回動した状態となり、スイッチが遮断されたＯＦＦの状態となる。
【００４６】
従って、第１水位検出センサ５１６は、改質水タンク５に貯留された改質水Ｗ３の水位が、第１水位検出センサ５１６の配置されている位置を上回っていた状態から下回ったことを検出する。同様に、第２水位検出センサ５１７は、改質水タンク５に貯留された改質水Ｗ３の水位が、第２水位検出センサ５１７の配置されている位置を上回っていた状態から下回ったことを検出する。第１水位検出センサ５１６及び第２水位検出センサ５１７は、制御部８と電気的に接続されている。第１水位検出センサ５１６及び第２水位検出センサ５１７により検出された、改質水タンク５内の改質水Ｗ３の水位が上回っていた状態から下回った状態となったことの検出の有無は、制御部８へ検出信号として送信される。
【００４７】
第１水面計５１８は、前壁５０１に形成された２つの開口を連通する透明な管部材により構成されている。２つの開口のうちの一方は、前壁５０１の部分であって凝縮水流入口５１３よりも左側の部分で、且つ、上下方向Ｄ２において凝縮水流入口５１３と略同一の位置関係を有する。また、２つの開口のうちの他方は、前壁５０１の部分であって凝縮水流入口５１３よりも左側の部分で、且つ、上下方向Ｄ２において改質水流出口５２１と略同一の位置関係を有する。この構成により、第１水面計５１８においては、第１貯留空間部５３５における水面位置と同一の高さの水面が、透明な管部材中に現れる。
【００４８】
第２水面計５１９は、右壁５０４に形成された２つの開口を連通する透明な管部材により構成されている。２つの開口のうちの一方は、右壁５０４の部分であって仕切り板５１２よりも後側の部分で、且つ、上下方向Ｄ２においてオーバーフロー流出口５１５と略同一の位置関係を有する。また、２つの開口のうちの他方は、右壁５０４の部分であって仕切り板５１２よりも後側の部分で、且つ、上下方向Ｄ２において改質水流出口５２１と略同一の位置関係を有する。この構成により、第２水面計５１９においては、第２貯留空間部５３６における水面位置と同一の高さの水面が、透明な管部材中に現れる。これにより、第１水面計５１８における水面の高さと第２水面計５１９における水面の高さとが異なる場合には、仕切り板５１２の貫通孔Ｈに詰まりが生じていることが分かる。
【００４９】
ポンプ５５は、所定の量の改質水Ｗ３を吸い込んで吐出する、ダイヤフラム式のいわゆる定量ポンプにより構成されている。ポンプ５５は、ハウジング５５１と、水を吸入する水吸入口（図示せず）と、水を吐出する水吐出口５５２を有している。水吸入口（図示せず）は、改質水供給ラインＬ５２の上流側の一部を通して改質水流出口５２１に接続されている。水吐出口５５２は、改質水供給ラインＬ５２の下流側の一部を通して不純物除去部５２に接続されている。ポンプ５５の水吐出口５５２は、貯留空間５３０の外部であって、オーバーフロー流出口５１５により規定される最高水面位置よりも下側の位置に配置される。具体的には、水吐出口５５２は、タンク本体５００の外部であって、上下方向Ｄ２において第２水位検出センサ５１７と略同一の位置関係を有している。ポンプ５５は、改質水タンク５の改質水Ｗ３を不純物除去部５２へ圧送する。
【００５０】
不純物除去部５２は、混床イオン交換樹脂（ポリッシャ）を有している。不純物除去部５２は、改質水供給ラインＬ５２を流通する改質水Ｗ３から不純物を除去して、改質水Ｗ３を浄化（純水化）する。
【００５１】
改質器７は、触媒を有している。改質水供給ラインＬ５２を通して供給される改質水Ｗ３と、燃料供給ラインＬ６１を通して供給される燃料Ｇ３とは、改質器７の触媒上で反応する。この反応により、改質器７において、改質ガスＧ４が生成される。生成された改質ガスＧ４は、改質ガス供給ラインＬ６３を通して燃料電池２に供給される。
【００５２】
制御部８は、ＣＰＵ（図示せず）と記憶媒体（図示せず）とを主として有している。記憶媒体には、前述のように、制御部８に電気的に接続された各部に対して、各種の制御を行うためにＣＰＵを動作させるためのプログラムがそれぞれ記憶されている。また、制御部８は、ポンプ４３、４４、４５、５５、５６に電気的に接続されており、ポンプ４３、４４、４５、５５、５６に対して駆動及び駆動停止の制御を行う。
【００５３】
本実施形態の貯水槽によれば、以下の効果を得ることができる。
改質ガスＧ４を燃料電池２に供給するために触媒上で燃料Ｇ３と改質水Ｗ３とを反応させて改質ガスＧ４を生成する改質器７へ、改質水Ｗ３を供給するための改質水Ｗ３を貯留する貯留空間５３０を有する貯水槽としての改質水タンク５は、貯留空間５３０に改質水Ｗ３が流入する凝縮水流入口５１３と、供給水Ｗ４が流入する原水流入口５２２と、貯留空間５３０に存在し、凝縮水流入口５１３及び原水流入口５２２の下方の位置から、上下方向Ｄ２に対して斜め下方に、貯留空間５３０を形成する壁部である前壁５０１の内面に向って延びる板部材としての傾斜板５１１と、を備える。傾斜板５１１の下端部と前壁５０１の内面との間には、改質水Ｗ３及び／又は供給水Ｗ４を流通可能であり、傾斜板５１１に沿って流れる改質水Ｗ３及び／又は供給水Ｗ４を、前壁５０１の内面に沿って流すように、傾斜板５１１から前壁５０１の内面へ渡す水内面流通流路５３１が形成されている。
【００５４】
このため、凝縮水流入口５１３、原水流入口５２２から流入する改質水Ｗ３、供給水Ｗ４を、前壁５０１の内面に沿って前壁５０１の内面を伝うように流すことができる。即ち、改質水Ｗ３、供給水Ｗ４が、凝縮水流入口５１３、原水流入口５２２から前壁５０１の内面を伝わずに、貯留空間５３０の中の改質水Ｗ３の水面に落下して改質水Ｗ３が気泡を巻き込むことを抑えることができる。
【００５５】
また、貯留空間５３０には、改質水Ｗ３、供給水Ｗ４に含まれる異物を通さずに水を流通可能な貫通孔Ｈが形成された仕切り板５１２が存在する。仕切り板５１２は、貯留空間５３０を、水内面流通流路５３１が形成される前壁５０１の部分を含む前壁５０１の部分により取り囲まれる第１貯留空間部５３５と、第１貯留空間部５３５を取り囲む壁部の部分以外の壁部の部分により取り囲まれる第２貯留空間部５３６と、に仕切る。
【００５６】
このため、第１貯留空間部５３５に流入したスラッジ等の異物が、第２貯留空間部５３６に入ることを抑え、改質水流出口５２１から異物が改質器７へ排出されることを抑えることができる。
【００５７】
また、貯留空間５３０における改質水Ｗ３の最高水面位置を規定し、最高水面位置を超えた改質水Ｗ３を貯留空間５３０の外部へ流出するオーバーフロー流出口５１５を備える。板部材としての傾斜板５１１は、傾斜板５１１とオーバーフロー流出口５１５との間に空間が存在するように、オーバーフロー流出口５１５から離間して配置されている。
【００５８】
このため、凝縮水流入口５１３、原水流入口５２２から流入した改質水Ｗ３、供給水Ｗ４が、板部材としての傾斜板５１１を伝って、そのままオーバーフロー流出口５１５から排出されることを防ぐことができる。
【００５９】
本発明は、上述した実施形態に限定されることはなく、特許請求の範囲に記載された技術的範囲において変形が可能である。例えば、改質水タンクの構成は、本実施形態における改質水タンク５の構成に限定されない。例えば、傾斜板５１１により構成された板部材の形状は、傾斜板５１１の形状に限定されない。例えば、板部材は、水流入口の少なくとも下方の位置から、上下方向Ｄ２に対して斜め下方に、貯留空間５３０を形成する壁部としての前壁５０１等の内面に向って延びていればよい。また、本実施形態では、凝縮水流入口５１３及び原水流入口５２２は、水流入口を構成していたが、凝縮水流入口５１３、原水流入口５２２のうちのいずれか一方が水流入口を構成していてもよい。従って、傾斜板５１１は、上下方向Ｄ２において、凝縮水流入口５１３、原水流入口５２２のうちの少なくとも一方の、下方の位置から延びていればよい。
また、仕切り板５１２には、貫通孔Ｈが形成されていたが、この構成に限定されない。例えば、貫通孔Ｈに代えて、仕切り板５１２は、メッシュ状の部分を有していてもよい。
また、上述した実施形態では、第１水位検出センサ５１６、第２水位検出センサ５１７は、それぞれフロートスイッチにより構成されているが、この構成に限定されない。例えば、水位検出センサは、フロート式レベルセンサや電極棒等で構成されていてもよい。
【符号の説明】
【００６０】
２  燃料電池
５  改質水タンク（貯水槽）
７  改質器
５０１  前壁（壁部）
５１１  傾斜板（板部材）
５１２  仕切り板
５１３  凝縮水流入口（水流入口）
５１５  オーバーフロー流出口
５２２  原水流入口５２２（水流入口）
５３０  貯留空間
５３１  水内面流通流路
５３５  第１貯留空間部
５３６  第２貯留空間部
Ｈ  貫通孔（孔）
Ｇ４  改質ガス
Ｗ３  改質水（凝縮水）（水）
Ｗ４  供給水（水）
【図１】
2016157620.tif 000003
【図２】
2016157620.tif 000004
【図３】
2016157620.tif 000005
【図４】
2016157620.tif 000006
【図５】
2016157620.tif 000007